(57)【特許請求の範囲】
【請求項１】
開口部が形成された天板を有する空調機本体と、
前記空調機本体内に配置され、前記空調機本体内に風の流れを形成するシロッコファンと、
前記シロッコファンを収容するファンケーシングと、
前記空調機本体内の前記ファンケーシングよりも下方に配置され、前記シロッコファンにより前記空調機本体内に吸い込まれた空気と冷媒との間で熱交換する熱交換器と、
前記空調機本体内に配置され、前記シロッコファンを駆動するモータと、を有し、
前記ファンケーシングは、
上端周縁を径方向外側に向かって突出させたフランジ部を備え、該フランジ部を介して前記シロッコファンを収容した状態で前記空調機本体に吊り下げ支持され、
吊り下げ支持が解除されることで、前記空調機本体に吊り下げ支持された状態において前記天板に形成された開口部と対向していた吹出口が前記空調機本体の正面を向くように回転可能となっている
ことを特徴とする空気調和装置。
【請求項２】
上端周縁を径方向外側に向かって突出させた第１接続部と、下端周縁を径方向外側に向かって突出させた第２接続部と、を備えたダクトを、前記ファンケーシングと前記天板との間に配置し、
前記ダクトの前記第１接続部を前記空調機本体の前記天板に固定し、
前記ダクトの前記第２接続部を前記ファンケーシングの前記フランジ部を固定することで、前記ファンケーシングが前記空調機本体に吊り下げ支持されるようになっており、
前記ダクトは、
前記第１接続部の突出長さが、前記第２接続部の突出長さよりも長く形成されている
ことを特徴とする請求項１に記載の空気調和装置。
【請求項３】
上端周縁を径方向外側に向かって突出させた第１接続部と、下端周縁を径方向外側に向かって突出させた第２接続部と、を備えたダクトを、前記ファンケーシングと前記天板との間に配置し、
前記ダクトの前記第１接続部を前記空調機本体の前記天板に固定し、
前記ダクトの前記第２接続部を前記ファンケーシングの前記フランジ部を固定することで、前記ファンケーシングが前記空調機本体に吊り下げ支持されるようになっており、
前記空調機本体の背板には、
前記空調機本体の内部に突出するように設けられた２つの板金と、
前記板金のそれぞれの上方に間隔を空けて設けられた２つの引っかけ板金と、が設けられ、
前記板金と前記引っかけ板金との間に着脱自在な固定板金を挿入し、
前記固定板金の挿入によって前記第１接続部、第２接続部を上方に押し上げ、前記第１接続部を前記天板に、前記フランジ部を前記第２接続部に、それぞれ密着させている
ことを特徴とする請求項１に記載の空気調和装置。
【請求項４】
前記板金は、
上面が前記空調機本体の内部に向かって下降するように傾斜しており、
前記固定板金は、
前記板金と前記引っかけ板金との間に挿入されるに従い、前記第１接続部、前記フランジ部のそれぞれを上方に押し上げる
ことを特徴とする請求項３に記載の空気調和装置。
【請求項５】
前記空調機本体の上部に吹き出しダクトフランジを備えたものにおいて、
前記ファンケーシングは、
前記フランジ部が前記空調機本体の前記天板に固定されることで、前記空調機本体に吊り下げ支持されるものであり、
前記フランジ部の固定が解除されることにより、前記吹出口が前記空調機本体の正面を向くように回転可能としている
ことを特徴とする請求項１に記載の空気調和装置。
【請求項６】
前記天板の開口部後方に固定板金を備え、
前記ファンケーシングは、
側面の一部に設けられた板金とともに締結部材によって前記天板の固定板金に固定される
ことを特徴とする請求項５に記載の空気調和装置。
【請求項７】
前記ファンケーシングの下方に、ファンケーシング支え板金を配置している
ことを特徴とする請求項１〜６のいずれか一項に記載の空気調和装置。
【請求項８】
前記ファンケーシング支え板金は、
下に向かって凸となるような湾曲形状に形成されている
ことを特徴とする請求項７に記載の空気調和装置。
【請求項９】
前記空調機本体の前板に、前記空調機本体の内部に突出するようにファンケーシング差込板を設け、
前記ファンケーシング差込板には平面視した状態において長方形状の角穴が形成されており、
前記ファンケーシングの前記吹出口が前記空調機本体の正面を向くように回転された状態において、
前記ファンケーシングは、
前記フランジ部が前記角穴に差し込まれるようになっている
ことを特徴とする請求項１〜８のいずれか一項に記載の空気調和装置。
【発明の詳細な説明】
【技術分野】
【０００１】
本発明は、搭載されている送風機のメンテナンスや清掃の容易化を図るようにした空気調和装置に関するものである。
【背景技術】
【０００２】
従来から、搭載されているシロッコファンのメンテナンスや清掃ができる空気調和装置が存在している。空気調和装置は、たとえば室内等の空調対象空間を空調するために空調対象空間内に設置されることが多い。この空気調和装置は、外部の室外機と接続され、冷凍サイクル装置を構成する。このような空気調和装置は、使用者が居住するような室内に設置されることが多い。そのため、空気調和装置には、衛生面を考慮して清潔にしておくことが要求されている。そこで、空気調和装置に搭載されているシロッコファンを定期的にメンテナンスや清掃することが望ましい。
【０００３】
そのようなものとして、「前記メンテナンスパネルを開けることによって、前記熱交換器を洗浄でき、前記メンテナンスパネル及び前記ファンロータ洗浄用開口パネルを開けることによって、前記ファンロータを洗浄でき、前記ファンロータ洗浄用開口パネルは、前記ファンロータの洗浄時に前記ファンロータ洗浄用開口部を露出させる、空気調和機」が提案されている（例えば、特許文献１参照）。特許文献１には、搭載しているシロッコファン（送風装置（３））のファンケーシング（ファンハウジング（１７））に着脱可能なパネル（ファンロータ洗浄用開口パネル（１７ｅ））を取り付け、このパネルを取り外すことでシロッコファンの清掃を可能にしているものが開示されている。
【０００４】
また、「左右の側板と、前記左右の側板上に支持される天板と、背板と、前板とを備えてなる本体ケーシングを有し、前記本体ケーシング内の左右の側板の間に室内熱交換器が配備され、前記天板の下面に、前記室内熱交換器からの空気を吹き出す送風ファンと、前記送風ファンを回転駆動する駆動部とが設けられ、前記左右の側板の上部に、前記天板を前後出し入れ自在に支持する天板支持部材がそれぞれ設置されている空調用室内機」が提案されている（たとえば、特許文献２参照）。特許文献２には、送風機ＡＳＳＹ（送風ファン１０、ファンケーシング１２、駆動部１１など）、それ自体を前方に引出し、送風機ＡＳＳＹを、下方や左右側方、背方からメンテナンスや清掃をできるようにしているものが開示されている。
【先行技術文献】
【特許文献】
【０００５】
【特許文献１】特許第４６７７７３９号公報（図４など）
【特許文献２】特開２０１１−１１７１０５号公報（図８など）
【発明の概要】
【発明が解決しようとする課題】
【０００６】
特許文献１は、ファンケーシング形状を特殊な構成とし、それによってファンケーシング内に搭載されているシロッコファンの清掃をできるようにしたものである。また、特許文献２は、特殊な送風機ＡＳＳＹを構成し、それによってシロッコファンの清掃をできるようにしたものである。つまり、いずれの技術においても特殊な構成が必要になってしまい、その分のコストが増加してしまうことになる等の課題があった。
【０００７】
本発明は、上記のような課題を解決するためになされたもので、シンプルな構造でシロッコファンのメンテナンスや清掃が可能であり、特殊な構成を要することなく、その分のコスト低減を図った空気調和装置を提供することを目的とするものである。
【課題を解決するための手段】
【０００８】
本発明に係る空気調和装置は、開口部が形成された天板を有する空調機本体と、前記空調機本体内に配置され、前記空調機本体内に風の流れを形成するシロッコファンと、前記シロッコファンを収容するファンケーシングと、前記空調機本体内の前記ファンケーシングよりも下方に配置され、前記シロッコファンにより前記空調機本体内に吸い込まれた空気と冷媒との間で熱交換する熱交換器と、前記空調機本体内に配置され、前記シロッコファンを駆動するモータと、を有し、前記ファンケーシングは、上端周縁を径方向外側に向かって突出させたフランジ部を備え、該フランジ部を介して前記シロッコファンを収容した状態で前記空調機本体に吊り下げ支持され、吊り下げ支持が解除されることで、前記空調機本体に吊り下げ支持された状態において前記天板に形成された開口部と対向していた吹出口が前記空調機本体の正面を向くように回転可能となっているものである。
【発明の効果】
【０００９】
本発明に係る空気調和装置によれば、ファンケーシングの吊り下げ支持を解除することで、吹出口をサービス面（正面）に容易に向けることができるので、構造を複雑にすることなくシロッコファンの清掃が可能であり、その分のコストを低減できる。
【図面の簡単な説明】
【００１０】
【図１】本発明の実施の形態１に係る空気調和装置の構造を示す概略図である。
【図２】本発明の実施の形態１に係る空気調和装置のファンケーシング部を説明するための説明図である。
【図３】本発明の実施の形態１に係る空気調和装置のファンケーシング部の取り付けを説明するための説明図である。
【図４】本発明の実施の形態１に係る空気調和装置のファンケーシングを回転させる場合の問題点を説明するための説明図である。
【図５】本発明の実施の形態１に係る空気調和装置のファンケーシングの回転動作を説明するための説明図である。
【図６】本発明の実施の形態２に係る空気調和装置の送風機部のファンケーシング部の取り付け状態を概略に示す側面図である。
【図７】本発明の実施の形態２に係る空気調和装置のファンケーシングの回転動作を説明するための説明図である。
【図８】本発明の実施の形態２に係る空気調和装置のファンケーシングの回転動作を説明するための説明図である。
【図９】本発明の実施の形態３に係る空気調和装置の送風機部のファンケーシング部の取り付け状態を概略に示す側面図である。
【図１０】本発明の実施の形態３に係る空気調和装置のファンケーシングの構成を示す斜視図である。
【図１１】本発明の実施の形態３に係る空気調和装置の一部を上面から見た状態を概略的に示す上面図である。
【図１２】本発明の実施の形態３に係る空気調和装置の一部を上面から見た状態を概略的に示す上面図である。
【図１３】本発明の実施の形態３に係る空気調和装置のファンケーシングの回転動作を説明するための送風機部の概略側面図である。
【図１４】本発明の実施の形態４に係る空気調和装置の空調機本体、送風機部を説明するための説明図である。
【図１５】本発明の実施の形態５に係る空気調和装置のファンケーシングの回転動作を説明するための説明図である。
【図１６】本発明の実施の形態５に係る空気調和装置の空調機本体の内部に設けたファンケーシング差込板の概略構成を示す上面図である。
【発明を実施するための形態】
【００１１】
以下、本発明の実施の形態を図面に基づいて説明する。
実施の形態１．
図１は、本発明の実施の形態１に係る空気調和装置Ａの構造を示す概略図である。図１に基づいて、空気調和装置Ａの構造について説明する。空気調和装置Ａは、図示省略の室外機と接続され、冷凍サイクル装置を構成するものである。図１（ａ）が空気調和装置Ａを正面視した内部構造を、図１（ｂ）が空気調和装置Ａを側面視した内部構造を、それぞれ示している。なお、図１及び後述の図において、同一の符号を付したものは、同一の又はこれに相当するものであり、これは明細書の全文において共通している。
【００１２】
＜空気調和装置Ａの構成＞
空気調和装置Ａは、主に床置き設置タイプであり、ユニット上方に吹出口が形成され、プレナムやダクト接続により空調機外部に空気を吹き出す構造のものである。空気調和装置Ａは、空調機本体１と、空調機本体１の内部に搭載された熱交換器２と、空調機本体１の内部に搭載された送風機部９と、空調機本体１の天井側、つまりファンケーシング４の上部に搭載されたダクト１３と、を備えている。なお、空調機本体１の熱交換器２の下方には、熱交換器２に接続している冷媒配管３１や、制御装置などが収容されている電気品箱３２などが配置されている。
【００１３】
空調機本体１は、天板１４ａ、右側板１４ｂ、左側板１４ｃ、背板１４ｄ、前板１４ｅ、及び、底板１４ｆで略直方箱状に形成されている。空調機本体１内には、前板１４ｅ及び背板１４ｄに形成されている図示省略の吸込口と、後述ファンケーシング４に形成されている吸込み部１０と、を連通する風路が形成されている。この風路に、冷凍サイクルを構成する要素機器である熱交換器２が、側面視した状態で略Ｖ字状に傾斜された配置で設置されている。天板１４ａ、右側板１４ｂ、左側板１４ｃ、背板１４ｄ、前板１４ｅ、及び、底板１４ｆは、それぞれの間に支柱材や横枠材を適宜介在させてビスなどで固定するとよい。また、前板１４ｅには、開口部が形成され、この開口部を開閉自在に覆うサービスパネル１２が取り付けられている。
【００１４】
なお、吸込口は、前板１４ｅ及び背板１４ｄに開口部を形成することで構成してもよく、空調機本体１の前面開口及び背面開口の一部を開放するように前板１４ｅ及び背板１４ｄを取り付けることで構成してもよい。空調機本体１に形成する吸込口を正面又は背面のいずれかに形成するようにしてもよい。また、空調機本体１の天井の一部、つまり天板１４ａの一部には、ダクト１３の吹出口１３ｅが開口するように設けられている。さらに、また、熱交換器２を図１に示すような配置に限定するものではなく、前板１４ｅや背板１４ｄと略平行となるように配置させてもよい。
【００１５】
送風機部９は、シロッコファン３と、ファンケーシング４と、モータ５と、Ｖベルト６と、ベアリング７と、シャフト８と、を有している。送風機部９は、ファンケーシング４と接続されるダクト１３により空調機本体１の内部上方に吊り下げ支持されている。この送風機部９は、吸込口から空調機本体１の内部に空気を吸い込み、吸い込んだ空気を熱交換器２を経由させた後、ダクト１３を介して空調対象空間に吹き出す役目を果たしている。なお、送風機部９は、シャフト８を介して連結された２つのシロッコファン３を有している。また、送風機部９は、２つのシロッコファン３に対応して、ファンケーシング４、後述するダクト１３も２つ有している。
【００１６】
シロッコファン３は、モータ５によって駆動され、空調機本体１の内部に空気の流れを形成するものである。図１（ａ）に示す例では、２つのシロッコファン３がシャフト８で連結されている。ファンケーシング４は、内部にシロッコファン３が収容され、上部に接続されたダクト１３によって支持されるものである。ファンケーシング４は、ダクト１３の方向に空気を吹き出す吹出口１１と、シロッコファン３のシャフト８の軸方向から空気を吸い込む吸込み部１０と、を有している。図１（ａ）に示す例では、２つのファンケーシング４が設けられている。つまり、吹出口１１は、ファンケーシング４が空調機本体１に配置された状態において、天板１４ａに形成されている開口部と対向し、上部に向かって風を吹き出すようになっている。
【００１７】
モータ５は、ロータ及びステータを有し、電力が供給されることで回転力を発生させるものである。このモータ５の回転力によって、シロッコファン３が駆動されるようになっている。Ｖベルト６は、モータ５とシロッコファン３とを連結し、モータ５の回転力をシロッコファン３に伝達するものである。このＶベルト６は、モータ５の回転軸に取り付けられているプーリ３４ａと、シロッコファン３のシャフト８に取り付けられているプーリ３４ｂと、に連結され、モータ５の回転力をシロッコファン３に伝達するようになっている。
【００１８】
ベアリング７は、ファンケーシング４の側面外側に設置され、シャフト８を回転自在に軸支するものである。このベアリング７は、正面視左側のファンケーシング４の左側面よりも左側に突出しているシャフト８を軸支し、正面視右側のファンケーシング４の右側面よりも右側に突出しているシャフト８を軸支するようになっている。また、ベアリング７は、空調機本体１の天井に垂設された吊り下げ支持部３３によって支持されている。シャフト８は、モータ５の回転力をシロッコファン３に伝達するものである。つまり、シャフト８は、プーリ３４ａ、Ｖベルト６、プーリ３４ｂを介して伝達されたモータ５の回転力によってシロッコファン３を駆動するようになっている。
【００１９】
ダクト１３は、ファンケーシング４の吹出口１１に連結される吸込口１３ｄと吹出口１３ｅが形成されており、ファンケーシング４に連結されることで、熱交換器２を経由した空気を空調機本体１の所望の場所から吹き出すように誘導するものである。ダクト１３は、その吹出口１３ｅが空調機本体１の天板１４ａに開口するようになっている。なお、図３及び図４で詳細に説明するが、ダクト１３の天板１４ａとファンケーシング４との接続部はフランジ構造になっている。また、吸込口１３ｄ、吹出口１３ｅについても図３及び図４に図示している。
【００２０】
＜空気調和装置Ａの動作＞
モータ５に電力が供給されると、シロッコファン３が駆動を開始する。シロッコファン３が駆動を開始すると、空調機本体１に形成されている吸込口から空調機本体１の内部に空気が吸い込まれる。空調機本体１に吸い込まれた空気は、熱交換器２を経由した後、ファンケーシング４に形成されている吸込み部１０からファンケーシング４の内部に吸い込まれる。この空気は、ダクト１３の吹出口１３ｅから空調機本体１の外部に吹き出される。そして、空調対象空間が空調される。
【００２１】
＜ファンケーシング部（ファンケーシング４とダクト１３）の詳細＞
図２は、空気調和装置Ａのファンケーシング部を説明するための説明図である。図３は、空気調和装置Ａのファンケーシング部の取り付けを説明するための説明図である。図２及び図３に基づいて、空気調和装置Ａのファンケーシング部について更に詳しく説明する。図２（ａ）がファンケーシング４にダクト１３が取り付けられている状態を示す斜視図を、図２（ｂ）がダクト１３の斜視図を、それぞれ示している。図３（ａ）がファンケーシング部が空調機本体１に取り付けられている状態を部分的に透視して示す概略正面図を、図３（ｂ）がファンケーシング部が空調機本体１に取り付けられている状態を部分的に透視して示す概略側面図を、それぞれ示している。
【００２２】
図２及び図３に示すように、ファンケーシング部は、ダクト１３がファンケーシング４の上部に取り付けられて構成されている。ダクト１３の天板１４ａとの第１接続部１３ａ、及び、ダクト１３のファンケーシング４との第２接続部１３ｂは、それぞれフランジ構造になっている。つまり、ダクト１３の上端周縁及び下端周縁が、径方向外側に向かって所定の寸法で突出した形状になっている。第１接続部１３ａの方が、第２接続部１３ｂよりも幅が広い構造となっている。つまり、第１接続部１３ａの方が、第２接続部１３ｂよりも突出させる寸法を長くしている。そして、図３に示すように、ダクト１３は、ネジやボルトなどの締結部材１５によって天板１４ａに固定され、ネジやボルトなどの締結部材１６によりファンケーシング４に取り付けられる。
【００２３】
図４は、ファンケーシング４を回転させる場合の問題点を説明するための説明図である。図５は、ファンケーシング４の回転動作を説明するための説明図である。図４及び図５に基づいて、シロッコファン３の清掃時における問題点と、ファンケーシング４の回転動作について説明する。図５（ａ）がファンケーシング４の回転前の状態を概略的に示す側面図を、図５（ｂ）がファンケーシング４を回転させたときの状態を概略的に示す側面図を、それぞれ示している。
【００２４】
シロッコファン３のメンテナンスや清掃は、空気調和装置Ａの正面側から行われる。まず、作業者は、ファンケーシング４に収容されているシロッコファン３をメンテナンスや清掃する際、空調機本体１の正面に取り付けられているサービスパネル１２を取り外す。そして、ファンケーシング部を空調機本体１の正面側で露出させ、ダクト１３の吹出口１３ｅを介して、シロッコファン３の正面側からメンテナンス作業や清掃作業を行う。ファンケーシング４の吹出口１１は、空調機本体１の天井側に設置されているダクト１３側に開口しているので、このままではシロッコファン３のメンテナンスや清掃を容易に実行することができない。そこで、空気調和装置Ａでは、以下の方法により、シロッコファン３のメンテナンスや清掃を容易に実行できるようにしている。
【００２５】
作業者は、空調機本体１の正面に取り付けられているサービスパネル１２を取り外した後、締結部材１６を外し、ダクト１３とファンケーシング４とを分離する。これにより、ファンケーシング４は、空調機本体１から切り離され、空調機本体１の内部でフリーの状態となる。つまり、ファンケーシング４は、空調機本体１の内部で下方に落下しようとする。このとき、シロッコファン３は、シャフト８を軸支しているベアリング７を介して吊り下げ支持部３３により支持されているので、ファンケーシング４は、シロッコファンと接触して落下が止まる。なお、シロッコファン３は、シャフト８の回転方向に回転できるので、ファンケーシング４もシロッコファン３の回転に合わせて回転可能な状態になっている。
【００２６】
ただし、このままだと図４に示すようにファンケーシング４の上部が、ダクト１３の下部に当接してしまい、ファンケーシング４の回転動作ができない。つまり、ファンケーシング４とダクト１３とが干渉してしまい、ダクト１３がファンケーシング４の回転動作の邪魔となる。
【００２７】
そこで、作業者は、ファンケーシング４とダクト１３とを分離した後、締結部材１５を外し、ダクト１３を空調機本体１から分離する。作業者は、空調機本体１から分離したダクト１３を空調機本体１から取り外す。ダクト１３は、第１接続部１３ａが、第２接続部１３ｂよりも幅が広く、つまり突出長さが長くなっているので、ドライバー等の工具での締結部材１５の取り外しが容易な構造となっている。これにより、ファンケーシング４は回転が可能となり、図５に示すように吹出口１１を空調機本体１の正面側に向けることが可能となる。
【００２８】
以上のように、空気調和装置Ａでは、ダクト１３の着脱の容易化を図り、ファンケーシング４を回転動作させ、吹出口１１を空調機本体１の正面側に向けることが可能となっている。したがって、空気調和装置Ａによれば、空調機本体１の正面側からのシロッコファン３のメンテナンス作業や清掃作業が可能となるため、シロッコファン３のメンテナンス作業や清掃作業が容易に実行できる。なお、ダクト１３の第１接続部１３ａと第２接続部１３ｂの突出長さを特に限定するものではないが、締結部材１５と外す際に利用する工具の邪魔にならない程度の差を設けるように長さを決定すればよい。また、第２接続部１３ｂの突出長さは、フランジ４ａと同程度の長さでよい。
【００２９】
実施の形態２．
図６は、本発明の実施の形態２に係る空気調和装置の送風機部９のファンケーシング部の取り付け状態を概略に示す側面図である。図７及び図８は、ファンケーシング４の回転動作を説明するための説明図である。図６〜図８に基づいて、ファンケーシング部の取り付け状態と、ファンケーシング４の回転動作について説明する。なお、この実施の形態２では実施の形態１との相違点を中心に説明するものとする。
【００３０】
図６に示すように、実施の形態２に係る空気調和装置の空調機本体１の背板１４ｄには、断面形状が台形状の板金１７ａ、板金１８ａが空調機本体１の内部に突出するように設けられている。板金１７ａ、板金１８ａは、背板１４ｄに設けられた状態において、上面が空調機本体１の内部に向かって下降するように傾斜している。また、背板１４ｄの板金１７ａ、板金１８ａのそれぞれ上部には、引っ掛け板金１７ｂ、引っ掛け板金１８ｂが間隔を空けて設けられている。そして、実施の形態１で示した締結部材１５及び締結部材１６を抹消している。
【００３１】
ここで、ダクト１３の空調機本体１への取り付けについて説明する。まず、図７に示すようにダクト１３の背面側の第１接続部１３ａを天板１４ａと引っ掛け板金１７ｂとの間の隙間に挿入してダクト１３を仮固定の状態とする。次に、図８に示すように固定板金１９を板金１７ａと第１接続部１３ａとの間に挿入する。このとき、板金１７ａの上面が斜め形状になっているため、固定板金１９は、奥（つまり背板１４ｄ側）に押していくにつれ第１接続部１３ａを介してダクト１３を上方に押し上げ、天板１４ａに密着させる。
【００３２】
そして、固定板金１９を置くまで差込み、空調機本体１の前板側の端部で固定板金１９を天板１４ａにネジやボルトなどの締結部材２０にて固定する。ダクト１３の左右両側を同様の構造とし、ダクト１３を空調機本体１に取り付けることによって、少ないネジ止め箇所でダクト１３を天板１４ａに密着させて固定することが可能となる。同様に、ダクト１３を天板１４ａに接続した要領で、固定板金２１、ネジやボルトなどの締結部材２２を使用してファンケーシング４をダクト１３に固定する。
【００３３】
なお、固定板金１９、固定板金２１は、その材質や形状、大きさ、厚み等を特に限定するものではないが、Ｌ曲げなどを行い、撓みのない十分な強度を持った構造とするとよい。また、板金１７ａ、板金１８ａも、その材質や形状、大きさ、厚み等を特に限定するものではない。さらに、引っ掛け板金１７ｂ、引っ掛け板金１８ｂも、その材質や形状（上面斜め形状以外の形状）、大きさ、厚み等を特に限定するものではない。そして、固定板金１９、固定板金２１の厚みに応じて、板金１７ａと引っ掛け板金１７ｂとの隙間、板金１８ａと引っ掛け板金１８ｂとの隙間の寸法を決定するとよい。加えて、締結部材１５及び締結部材１６を末梢しているので、第１接続部１３ａと第２接続部１３ｂの突出長さについては同じとしてもよい。
【００３４】
以上のように、実施の形態２に係る空気調和装置では、ダクト１３の着脱の容易化を図り、ファンケーシング４を回転動作させ、吹出口１１を空調機本体１の正面側に向けることが可能となっている。したがって、実施の形態２に係る空気調和装置によれば、空調機本体１の正面側からのシロッコファン３のメンテナンス作業や清掃作業が可能となるため、シロッコファン３のメンテナンス作業や清掃作業が容易に実行できる。また、実施の形態２に係る空気調和装置では、ファンケーシング部の取り付けに、固定板金１９、固定板金２１を使用するようにしているので、ファンケーシング部を着脱する際のネジ止め箇所を少なくでき、作業の簡略化を更に図ることができる。
【００３５】
実施の形態３．
図９は、本発明の実施の形態３に係る空気調和装置の送風機部９のファンケーシング部の取り付け状態を概略に示す側面図である。図１０は、ファンケーシング４の構成を示す斜視図である。図９及び図１０に基づいて、本発明の実施の形態３に係る空気調和装置の送風機部９のファンケーシング部について説明する。なお、この実施の形態３では実施の形態１、２との相違点を中心に説明するものとする。
【００３６】
図９に示すように、実施の形態３に係る空気調和装置の送風機部９のファンケーシング部には、ダクト１３が用いられていない。ただし、空調機本体１の天板１４ａの上部には、吹き出しダクトフランジ２３が備えられている。ファンケーシング４は、天板１４ａの開口部から、この吹き出しダクトフランジ２３の内部に一部が設置される。つまりファンケーシング４の上端周縁のフランジ部４ａが天板１４ａの開口部の周縁上端部に係止されて設置される。このとき、天板１４ａの開口部後方には固定板金２４が備えられ、ファンケーシング４の側面の一部に設けられた板金２５とともにネジやボルトなどの締結部材２６にてファンケーシング４が天板１４ａに固定される。フランジ部４ａは、ファンケーシング４の上端周縁を径方向外側に向かって突出させて形成されている。
【００３７】
固定板金２４は、天板１４ａの開口部周縁の一部を下方に折り曲げて形成するとよい。板金２５は、ファンケーシング４が取り付けられた状態において、固定板金２４と対向する位置におけるファンケーシング４の外側又は内側の一部に設置するとよい。また、図９に示すように、実施の形態３に係る空気長装置の送風機部９には、ファンケーシング４の上端周縁のフランジ部の下側に当接するように塞ぎ板２７が設置される。
【００３８】
図１１及び図１２は、実施の形態３に係る空気調和装置の一部を上面から見た状態を概略的に示す上面図である。図１１及び図１２に基づいて、塞ぎ板２７に詳しく説明する。なお、図１１が塞ぎ板２７を取り付けられていない状態を、図１２が塞ぎ板２７を取り付けた状態を、それぞれ示している。
【００３９】
図１１に示すように、ファンケーシング４が取り付けられている状態において、天板１４ａの開口部周縁とファンケーシング４の外周との間には隙間ｇが形成される。そこで、図１２に示すように、隙間ｇを塞ぐように塞ぎ板２７を取り付けるようにしている。塞ぎ板２７は、空調機本体１に取り付けられているサービスパネル１２を取り外し、サービス面側から着脱可能になっている。取り付けられた塞ぎ板２７は、ネジやボルトなどの締結部材２８にてファンケーシング４の上端周縁のフランジ部に固定される。こうすることによって、塞ぎ板２７は、ファンケーシング４の上端周縁のフランジ部との間に天板１４ａを挟み込むことになり、天板１４ａの上下の空間を遮断する。
【００４０】
次に、実施の形態３に係る空気調和装置のファンケーシング４の回転動作を説明する。
図１３は、実施の形態３に係る空気調和装置のファンケーシング４の回転動作を説明するための送風機部９の概略側面図である。
【００４１】
図１３に示すように、ファンケーシング４を回転させる場合、作業者は塞ぎ板２７をまず取り外す。塞ぎ板２７を取り外せば、ファンケーシング４は吹き出しダクト内の空間内で動くことが可能になる。このとき、締結部材２６も外され、固定板金２４と板金２５との固定も解除されている。こうすることで、ファンケーシング４は、天板１４ａに接触することなく回転することが可能となっている。
【００４２】
以上のように、実施の形態３に係る空気調和装置では、ダクトを空調機本体１に一体的な構造としたことにより、ファンケーシング４の回転動作の容易化を図り、ファンケーシング４を回転動作させ、吹出口１１を空調機本体１の正面側に向けることが可能となっている。したがって、実施の形態３に係る空気調和装置によれば、空調機本体１の正面側からのシロッコファン３のメンテナンス作業や清掃作業が可能となるため、シロッコファン３のメンテナンス作業や清掃作業が容易に実行できる。
【００４３】
実施の形態４．
図１４は、本発明の実施の形態４に係る空気調和装置の空調機本体１、送風機部９を説明するための説明図である。図１４に基づいて、実施の形態４に係る空気調和機の空調機本体１、送風機部９について説明する。図１４（ａ）が空調機本体１の送風機部９部分を概略的に示す側面図を、図１４（ｂ）が空調機本体１の送風機部９部分を概略的に示す正面図を、それぞれ示している。
【００４４】
図１４に示すように、実施の形態４に係る空気調和装置では、ファンケーシング４の下方（例えばファンケーシング４の５ｍｍ程度の下方）に、ファンケーシング支え板金２９を配置している。ファンケーシング支え板金２９は、ファンケーシング４がシロッコファン３に接触しない位置に設置される。ファンケーシング支え板金２９は、背板１４ｄ、もしくは空調機本体１の内部に設置されている梁（図示省略）に固定されている。ファンケーシング支え板金２９は、図１４（ｂ）に示すように、ファンケーシング４の幅よりも横方向の長さが短く構成されている。ファンケーシング支え板金２９をこのような形状で構成することにより、空調機本体１の内部風路の妨げとならない構造としている。
【００４５】
また、図１４（ａ）に示すように、ファンケーシング支え板金２９をファンケーシング４の下面に対応した形状、つまり下に向かって凸となるような湾曲形状にしておくとよい。ファンケーシング支え板金２９をファンケーシング４の下面に対応した形状にすることによって、ファンケーシング４がファンケーシング支え板金２９の上に乗った時に、ファンケーシング支え板金２９がファンケーシング４を包み込むようになり、ファンケーシング４が安定する。なお、ファンケーシング支え板金２９の中央には、数センチ四方の角穴が開いているものとする。また、ファンケーシング支え板金２９は、背板１４ｄに取り付けられている固定板金２９ａに固定されている。ただし、ファンケーシング支え板金２９の一端を下方に折り曲げて、背板１４ｄに固定するようにしてもよい。
【００４６】
実施の形態１〜３に係る空気調和装置のファンケーシング４の取り外し作業において、ファンケーシング４がフリーの状態になると下方に落下しようとする。このとき、最終的にはファンケーシング４内部のシロッコファン３と接触し、ファンケーシング４の落下が止まるわけであるが、シロッコファン３に傷が付くことが懸念される。そこで、実施の形態４では、ファンケーシング支え板金２９を備える構成としたことにより、ファンケーシング４の落下がファンケーシング支え板金２９で受け止められることになる。その結果、フリーな状態となったファンケーシング４が、シロッコファン３に接触することなく、落下が停止するので、内部に収容されているシロッコファン３を傷付けることがない。
【００４７】
また、ファンケーシング支え板金２９の中央には数センチ四方の角穴が開口形成しているので、ファンケーシング４を元の位置に戻すときは、ファンケーシング支え板金２９の角穴からファンケーシング４を上方に押し上げることができる。これにより、ファンケーシング４の取り付け作業も容易に実行できるようにしている。
【００４８】
以上のように、実施の形態４に係る空気調和装置では、ファンケーシング支え板金２９を設けた構造としたことにより、ファンケーシング４の落下に伴うシロッコファン３の損傷を防ぐとともに、ファンケーシング４の回転動作の容易化を図り、ファンケーシング４を回転動作させ、吹出口１１を空調機本体１の正面側に向けることが可能となっている。したがって、実施の形態４に係る空気調和装置によれば、空調機本体１の正面側からのシロッコファン３のメンテナンス作業や清掃作業が可能となるため、シロッコファン３のメンテナンス作業や清掃作業が容易に実行できる。なお、ファンケーシング支え板金２９は、実施の形態１〜３のいずれの空気調和装置にも適用することが可能である。
【００４９】
実施の形態５．
図１５は、本発明の実施の形態５に係る空気調和装置のファンケーシング４の回転動作を説明するための説明図である。図１６は、実施の形態５に係る空気調和装置の空調機本体１の内部に設けたファンケーシング差込板３０の概略構成を示す上面図である。図１５及び図１６に基づいて、実施の形態５に係る空気調和機のファンケーシング４の回転動作について説明する。図１５（ａ）がファンケーシング４の回転前の状態を概略的に示す側面図を、図１５（ｂ）がファンケーシング４を回転させたときの状態を概略的に示す側面図を、それぞれ示している。
【００５０】
図１５に示すように、空調機本体１の内部の正面側には、ファンケーシング差込板３０が備えられている。ファンケーシング差込板３０には、図１６に示すように、中央部に線状（長手、短手を有している長方形状）の角穴３０ａが開口形成されている。そして、図１５（ｂ）に示すように、ファンケーシング４が回転動作すると、ファンケーシング４の正面側に位置しているフランジ部４ａが、ファンケーシング差込板３０の角穴３０ａに差し込まれるようになっている。
【００５１】
ファンケーシング４を空調機本体１からフリーな状態とし、吹出口１１を正面に向けてシロッコファン３をメンテナンス作業や清掃作業をする場合、ファンケーシング４がフリーの状態のままではシロッコファン３のメンテナンス作業や清掃がやりにくくなってしまう。そこで、ファンケーシング４の正面側のフランジ部４ａをファンケーシング差込板３０の角穴３０ａに差し込むことで、ファンケーシング４を固定し、シロッコファン３のメンテナンス作業や清掃作業の容易化を図るようにした。
【００５２】
以上のように、実施の形態５に係る空気調和装置では、ファンケーシング４の回転動作の容易化を図り、ファンケーシング４を回転動作させ、吹出口１１を空調機本体１の正面側に向けることが可能となっているとともに、ファンケーシング差込板３０を設けた構造としたことにより、回転させたファンケーシング４を簡易な構成で固定することが可能になり、シロッコファン３のメンテナンスや清掃の容易化を図っている。したがって、実施の形態５に係る空気調和装置によれば、空調機本体１の正面側からのシロッコファン３のメンテナンス作業や清掃作業が可能となるため、シロッコファン３のメンテナンス作業や清掃作業が容易に実行できる。なお、ファンケーシング差込板３０は、実施の形態１〜４のいずれの空気調和装置にも適用することが可能である。
【符号の説明】
【００５３】
１  空調機本体、２  熱交換器、３  シロッコファン、４  ファンケーシング、４ａ  フランジ部、５  モータ、６  Ｖベルト、７  ベアリング、８  シャフト、９  送風機部、１０  吸込み部、１１  吹出口、１２  サービスパネル、１３  ダクト、１３ａ  第１接続部、１３ｂ  第２接続部、１３ｄ  吸込口、１３ｅ  吹出口、１４ａ  天板、１４ｂ  右側板、１４ｃ  左側板、１４ｄ  背板、１４ｅ  前板、１４ｆ  底板、１５  締結部材、１６  締結部材、１７ａ  板金、１７ｂ  板金、１８ａ  板金、１８ｂ  板金、１９  固定板金、２０  締結部材、２１  固定板金、２２  締結部材、２３  吹き出しダクトフランジ、２４  固定板金、２５  板金、２６  締結部材、２７  塞ぎ板、２８  締結部材、２９  ファンケーシング支え板金、２９ａ  固定板金、３０  ファンケーシング差込板、３０ａ  角穴、３１  冷媒配管、３２  電気品箱、３３  支持部、３４ａ  プーリ、３４ｂ  プーリ、Ａ  空気調和装置、ｇ  隙間。
【図１】
0005963507.tif 000002
【図２】
0005963507.tif 000003
【図３】
0005963507.tif 000004
【図４】
0005963507.tif 000005
【図５】
0005963507.tif 000006
【図６】
0005963507.tif 000007
【図７】
0005963507.tif 000008
【図８】
0005963507.tif 000009
【図９】
0005963507.tif 000010
【図１０】
0005963507.tif 000011
【図１１】
0005963507.tif 000012
【図１２】
0005963507.tif 000013
【図１３】
0005963507.tif 000014
【図１４】
0005963507.tif 000015
【図１５】
0005963507.tif 000016
【図１６】
0005963507.tif 000017